(57)【要約】【課題】着用者が上肢を前方に屈めやすい上衣部を提供する【解決手段】身頃３と袖５とを備えた上衣部であって、後身頃７の上部が伸縮性の材料９で構成されている上衣部１である。【選択図】図１
2014167188.tif 000002
【特許請求の範囲】
【請求項１】
身頃と袖とを備えた上衣部であって、後身頃の上部が伸縮性の材料で構成されていることを特徴とする上衣部。
【請求項２】
請求項１に記載の上衣部において、
上記伸縮性の材料は、所定の幅をもった逆「Ｖ」字状に形成されており、着用者の脊柱部の上端部と肩甲上部の脊柱部側の部位とのところから、斜め下方に延伸して、前記着用者の側胸部と乳房下部との境界近傍に位置する前記側胸部の部位のところまで延びていることを特徴とする上衣部。
【請求項３】
請求項１または請求項２に記載の上衣部において、
左袖と左前身頃とでＬ字状に形成された左袖前身頃と、
右袖と右前身頃とでＬ字状に形成された右袖前身頃と、
前記伸縮性の材料で構成された上側後身頃と、
下側後身頃と、
で上記身頃と上記袖とが構成されていることを特徴とする上衣部。
【請求項４】
請求項３に記載の上衣において、
前記左袖前身頃における左前身頃の左端の直線部分と、前記左袖前身頃における左袖の、前記左前身頃の左端に隣接している一端の直線部分との交差角度が、鈍角になっており、
前記右袖前身頃における右前身頃の右端の直線部分と、前記右袖前身頃における右袖の、前記右前身頃の右端に隣接している一端の直線部分との交差角度が、鈍角になっていることを特徴とする上衣部。
【請求項５】
請求項３または請求項４に記載の上衣において、
前記左袖前身頃、前記右袖前身頃は、布帛で構成されており、
前記左袖前身頃における左袖の延伸方向と前記布帛の縦糸の延伸方向が斜めに交差しており、
前記右袖前身頃における右袖の延伸方向と前記布帛の縦糸の延伸方向が斜めに交差していることを特徴とする上衣部。
【発明の詳細な説明】
【技術分野】
【０００１】
本発明は、上衣（上衣部）に係り、たとえば、作業着として使用されるものに関する。
【背景技術】
【０００２】
従来、上下及び前後方向の腕の動きにフィットするよう、袖下部から脇部にかけて前身頃及び後身頃に布地の切替え部を設けた上衣が知られている（たとえば、特許文献１参照）。
【０００３】
また、従来、作業時に体の動きを制約しないようにするための立体構造作業合羽の上衣が知られている（たとえば、特許文献２参照）。この立体構造作業合羽の上衣は、両脇の前身頃と後身頃の間に帯状の部品を胴部の裾から袖まで連通して配置して構成されている。
【０００４】
また、従来、操作性及びフィット感を高めるために、上着の脇の下から胴側部及び袖側部にかけてストレッチ素材を用いた防寒具が知られている（たとえば、特許文献３参照）。
【先行技術文献】
【特許文献】
【０００５】
【特許文献１】意匠登録第１４２７７３１号公報
【特許文献２】実用新案登録第３１５８３７９号公報
【特許文献３】特開平１１−２２９２１７号公報
【発明の概要】
【発明が解決しようとする課題】
【０００６】
ところで、従来の各特許文献に記載されているものでは、上衣を着た着用者が、腕を肩のところで上下動させやすくなっているが、腕を肩のところで前側に曲げようとしても背中の布がつっぱってしまい、腕を前側に曲げにくくなっているという問題がある。なお、上記問題は、腕を前方に曲げておいて上下動する場合に一層顕著になる。
【０００７】
本発明は、上記問題点に鑑みてなされたものであり、着用者が上肢を前方に屈めやすい上衣部を提供することを目的とする。
【課題を解決するための手段】
【０００８】
請求項１に記載の発明は、身頃と袖とを備えた上衣部であって、後身頃の上部が伸縮性の材料で構成されている上衣部である。
【０００９】
請求項２に記載の発明は、請求項１に記載の上衣部において、上記伸縮性の材料は、所定の幅をもった逆「Ｖ」字状に形成されており、着用者の脊柱部の上端部と肩甲上部の脊柱部側の部位とのところから、斜め下方に延伸して、前記着用者の側胸部と乳房下部との境界近傍に位置する前記側胸部の部位のところまで延びている上衣部である。
【００１０】
請求項３に記載の発明は、請求項１または請求項２に記載の上衣部において、左袖と左前身頃とでＬ字状に形成された左袖前身頃と、右袖と右前身頃とでＬ字状に形成された右袖前身頃と、前記伸縮性の材料で構成された上側後身頃と、下側後身頃とで上記身頃と上記袖とが構成されている上衣部である。
【００１１】
請求項４に記載の発明は、請求項３に記載の上衣において、前記左袖前身頃における左前身頃の左端の直線部分と、前記左袖前身頃における左袖の、前記左前身頃の左端に隣接している一端の直線部分との交差角度が、鈍角になっており、前記右袖前身頃における右前身頃の右端の直線部分と、前記右袖前身頃における右袖の、前記右前身頃の右端に隣接している一端の直線部分との交差角度が、鈍角になっている上衣部である。
【００１２】
請求項５に記載の発明は、請求項３または請求項４に記載の上衣において、前記左袖前身頃、前記右袖前身頃は、布帛で構成されており、前記左袖前身頃における左袖の延伸方向と前記布帛の縦糸の延伸方向が斜めに交差しており、前記右袖前身頃における右袖の延伸方向と前記布帛の縦糸の延伸方向が斜めに交差している上衣部である。
【発明の効果】
【００１３】
本発明によれば、着用者が上肢を前方に屈めやすい上衣部を提供することができるという効果を奏する。
【図面の簡単な説明】
【００１４】
【図１】本発明の実施形態に係る上衣の背面図である。
【図２】本発明の実施形態に係る上衣の正面図である。
【図３】本発明の実施形態に係る上衣を構成する部材（身頃）の平面展開図（平面）であり、（ａ）は上側後身頃を示しており、（ｂ）は下側後身頃を示しており、（ｃ）は左袖前身頃を示しており、（ｄ）は右袖前身頃を示している。
【図４】本発明の実施形態に係る下衣の背面図である。
【図５】本発明の実施形態に係る下衣の正面図である。
【図６】本発明の実施形態に係る下衣を構成する部材（身頃）の平面展開図（平面）であり、（ａ）は右身頃を示しており、（ｂ）は左身頃を示しており、（ｃ）は腰部ニット部材を示しており、（ｄ）は左マチ材を示しており、（ｅ）は右マチ材を示しており、（ｆ）はベルト部材を示している。
【図７】本発明の実施形態に係る上衣と下衣とを着た着用者が作業において荷物を持ち上げる状態を示す図である。
【発明を実施するための形態】
【００１５】
図１、図２に示す本発明の実施形態に係る上衣１は、たとえば、作業に使用される上着であって、着用した場合に着用者の体には密着しない構成、すなわち、着用者の皮膚との間に若干の空間が存在する形態になっている。ただし、上衣１のほぼ上半分は、重力等の作用により、たとえば下着を間にして下着を挟み込む態様で着用者の皮膚を押圧している場合がある。上衣１の下端は、着用者にウェストラインよりも若干下方に（たとえば、仙骨部の中央あたり）に位置している。
【００１６】
また、本発明の実施形態に係る上衣１は、身頃３と袖５とを備えて構成されており、着用者が上肢を前方に屈めやすくするために、後身頃（身頃３の後側の部位である後身頃）７の上部９が伸縮性の材料（たとえばニット）で構成されている。なお、他の部位は布帛で構成されている。
【００１７】
身頃（上衣１のうちの身頃の部位）３とは、上衣１のうちで、人（上衣１の着用者）の体幹部（たとえば、肩部を含む胸部と臍部よりも上方に位置する腹部の部位）を覆う部位のことであり、概ね筒状になっている。そして、前側を前身頃１１といい、背中側を後身頃７という。袖（上衣１のうちの左右の袖の部位）５とは、上衣１のうちで、人（上衣１の着用者）の左右の腕をそれぞれ覆う部位のことであり、概ね筒状になっており、身頃３の上部左右で身頃３から左右方向に突出している。身頃３の筒の内部と左右の袖５の内部とは当然つながっている。
【００１８】
上衣のニットの部分９は、たとえば、ニットのみで構成されており、上衣１のニットの部分９には伸縮性を阻害する裏地等は設けられていない。
【００１９】
上衣１のニット（ニットの部分）９は、着用者が上肢を前方に（上肢が着用者の体の中心を含む前頭面に存在している状態から前方に）屈めやすくするために設けられている。すなわち、着用者が肩関節のところで上腕を前方に曲げやすくするために、もしくは、着用者が肩関節のところで上腕を前方に曲げた状態で上腕を上下方向に動かしやすくするために、もしくは、着用者が肩関節のところで上腕を前方に曲げる（前方に曲げた状態で上下に動かす場合も含む）とともに腕尺関節で前腕を曲げやすくするために設けられている。
【００２０】
上衣１のニットの部分９は、左右方向の伸縮性が上下方向の収縮性よりも良好になっている。すなわち、左右方向に一定の力を加えたときのニットの伸び量（一定の長さあたりの伸び量）が、上下方向に上記一定の力を加えたときのニットの伸び量（上記一定の長さあたりの伸び量）よりも大きくなっている。
【００２１】
ニットの部分９は、所定の幅（上下方向の寸法）をもった逆「Ｖ」字状（上下が逆転した「Ｖ」字状）で左右対称に形成されており、着用者の脊柱部の上端部と肩甲上部の脊柱部側の部位のところから、斜め下方に延伸して、着用者の側胸部と乳房下部との境界近傍に位置する側胸部の部位（腋窩のやや下方前側部位）のところまで延びている。
【００２２】
さらに説明すると、ニットの部分９の左側の上端縁は、着用者の左側で、着用者の脊柱部と左肩甲上部との境界もしくはこの近傍の箇所から、着用者の左肩甲上部の箇所を通り、着用者の左肩甲上部と左肩甲部と左肩甲間部との境界もしくはこの近傍の箇所を通り、着用者の左肩甲部の箇所を通り、着用者の左側胸部の箇所を通り、着用者の左側胸部と左胸筋部と乳房下部との境界の上端もしくはこの近傍の箇所（左側胸部内に存在している箇所）まで、斜め下方に延びている。ニットの部分９の右側の上端縁は、着用者の正中面に対してニットの部分９の左側の上端縁と対称になっている。
【００２３】
ニットの部分９の左側の下端縁は、左右方向で着用者の脊柱部の中央に位置し上下方向で着用者の脊柱部の上側に位置している脊柱部の部位（上下方向におけるこの部位と脊柱部の上端との間の距離は、脊柱部の上端と下端との間の距離の１／３〜１／４程度になっている。さらには、１／３．５程度になっている。）の箇所から、着用者の脊柱部の箇所を通り、着用者の左肩甲間部（上下方向で左肩甲間部のほぼ中央部）の箇所を通り、着用者の左肩甲部の中間下方を通り、着用者の左側胸部の箇所を通り、着用者の左乳房下部と左側胸部と左下肋部との境界もしくはこの近傍の箇所（左側胸部内に存在している箇所）まで、斜め下方に延びている。ニットの部分９の右側の下端縁は、着用者の正中面に対してニットの部分９の左側の下端縁と対称になっている。
【００２４】
ニットの部分９の左右方向中央部の上端は、着用者の脊柱部の箇所で左右方向に延びている。ニットの部分９の左右方向中央部の下端は、上に凸な円弧状になっている。
【００２５】
ニットの部分９の上下方向の寸法は、着用者の脊柱部の箇所（左右方向の中央のところ）から左右に向かうにしたがって次第に小さくなっている。
【００２６】
また、上衣１は、図１〜図３で示すように、左袖前身頃１３と右袖前身頃１５と上側後身頃１７と下側後身頃１９を備えて構成されている。さらに説明すると、たとえば、１枚の左袖前身頃１３と１枚の右袖前身頃１５と１枚の上側後身頃１７と１枚の下側後身頃１９との４枚の身頃部材のみを縫い合わせて接合することで、１着の上衣１の身頃（上衣１のうちの身頃の部位）３と袖（上衣１のうちの左右の袖の部位）５とが構成されている。
【００２７】
上側後身頃１７は、上述したニットの部分９を構成している。左袖前身頃１３は、左袖（左袖部）２１と左前身頃２３とでＬ字状に形成されており、右袖前身頃１５は、右袖（右袖部）２５と右前身頃２７とでＬ字状に形成されている。左袖前身頃１３と右袖前身頃１５とはお互いが対称な形状に形成されている。下側後身頃１９は、左右対称に形成されている。これにより、上衣１の身頃３と袖５とは左右対称に形成されている。
【００２８】
上衣１は、上述したように、作業に使用されるものであるが、たとえば、食品加工用の上衣作業服（食品産業用のユニフォーム）として使用されるものである。ただし、これに限られることは無く、ワイシャツ等のシャツ、アンダーウェアのシャツであってもよい。また、上衣１は長袖になっているが、半袖になっていてもよい。
【００２９】
なお、１着の上衣１は、１枚の左袖前身頃１３と１枚の右袖前身頃１５と１枚の上側後身頃１７と１枚の下側後身頃１９に加えて、たとえば、１つの衿部２９と、１つの前立て部３１と、１つの線ファスナ３３と、一対の袖口３５とを備えて構成されている。
【００３０】
左袖前身頃１３は、素材から切り出されて縫合前の平板状に展開されている状態をこの厚さ方向から見ると、前述したようにまた図３で示すように、左袖２１と左前身頃２３とで「Ｌ」字状に形成されている。また、左袖前身頃１３における左前身頃２３の左端の直線部分３７と、左袖前身頃１３における左袖２１の、左前身頃２３の左端に隣接している一端の直線部分３９との交差角度（劣角）αが、鈍角になっている。
【００３１】
右袖前身頃１５も、左袖前身頃１３と同様にして、素材から切り出されて縫合前の平板状に展開されている状態をこの厚さ方向から見ると、右前身頃２７と右袖２５とで「Ｌ」字状に形成されている。また、右袖前身頃１５における右前身頃２７の右端の直線部分４１と、右袖前身頃１５における右袖２５の、右前身頃２７の右端に隣接している一端の直線部分４３との交差角度（劣角）αが、鈍角になっている。
【００３２】
なお、図３に示す線分Ｌは、左袖前身頃１３（右袖前身頃１５）が他の部材と縫い合わされて上衣１となり、この上衣１を着用者が着たときに、着用者の肩の上端を通り腕の先端側まで延びる仮想線である。
【００３３】
左袖２１（右袖２５）は、前述した一端の直線部分３９（４３）と、袖口３５が接合される箇所４５（４７）を間にして前述した一端の直線部分３９（４３）と対向している他端の直線部分４９（５１）とをお互いに縫い合わせて接合することで、筒状に形成される。左袖２１（右袖２５）の径は、袖５の先端に向かうにしたがって（身頃３から離れるにしたがって）次第に小さくなっている。
【００３４】
左袖前身頃１３の左前身頃２３の左端の直線部分３７と各後身頃（上側後身頃および下側後身頃）１７，１９との縫い目５３は、図２で示すように、前側（人の体の中心を含む前頭面よりも前側）に存在しているとともに、下側に向かうにしたがって、次第に前側に移動している。
【００３５】
さらに、説明すると、上衣１を着用者が着用した場合、左前身頃２３の左端の直線部分３７と各後身頃１７，１９との縫い目５３は、上端が脇の下の前側部位（両腕が胴から分かれ出るあたりの部位であって前側に位置している部位）に位置し、下端が臍部の左下端（臍部と左側の側腹部と左側の鼡径部と恥骨部との境界のあたり）に位置しており、上端から下端までほぼ直線状に延びている。
【００３６】
右袖前身頃１５の右前身頃２７の右端の直線部分４１と各後身頃１７，１９との縫い目５５も、左前身頃２３の左端の直線部分３７のものと同様にして、前側（人の体の中心を含む前頭面よりも前側）に存在しているとともに、下側に向かうにしたがって、次第に前側に移動している。
【００３７】
また、上衣１を人が着用せず平板状に展開してある状態で身頃を上下方向に伸ばして袖を左右の水平方向に伸ばすと、図１や図２では表現されていないが、上衣１の脇の下の箇所に弛み５７が生成されるようになっている。これにより、上衣１を着用している人が、腕を上方に上げやすくなっている。
【００３８】
左袖前身頃１３と右袖前身頃１５と下側後身頃１９と衿部２９と前立て部３１とは、たとえば発塵しにくい布帛で構成されている。布帛は、伸縮性のほとんど無い縦糸と伸縮性のほとんど無い横糸（延伸方向が縦糸の延伸方向に対してほぼ直交している横糸）とを織ることで生成されている。袖口３５は発塵しにくい材料で構成されているがたとえば若干の伸縮性を備えている。
【００３９】
なお、左袖前身頃１３における左前身頃２３は、布目に沿って裁断されており、縦糸が上下方向に延伸し、横糸が左右方向に延伸している。一方、左袖前身頃１３における左袖２１の延伸方向（人の左腕の延伸方向）と布帛の縦糸の延伸方向と横糸の延伸方向とは、お互いが斜めに交差している（左袖２１の延伸方向が布帛のバイアス方向になっている）。
【００４０】
同様にして、右袖前身頃１５における右前身頃２７は、布目に沿って裁断されており、縦糸が上下方向に延伸し、横糸が左右方向に延伸している。右袖前身頃１５における右袖２５の延伸方向と布帛の縦糸の延伸方向と横糸の延伸方向とが斜めに交差している。
【００４１】
また、上衣１では、左袖２１を筒状に形成するための縫い目５９と、右袖２５を筒状に形成するための縫い目６１とが、前側（人の体の中心を含む前頭面よりも前側）に存在している。
【００４２】
上衣１についてさらに説明すると、左袖前身頃１３は、図３で示すように、直線状もしくは円弧状等の線状の縁部６３と縁部６５と縁部６７（３７）と縁部６９と縁部７１（３９）と縁部７３（４５）と縁部７５と縁部７７と縁部７９とをこの順につなげてこれらの縁部で囲まれた形状に形成されている。
【００４３】
右袖前身頃１５は、左袖前身頃１３と同様にしてまた図３で示すように、縁部８１と縁部８３と縁部８５（４１）と縁部８７と縁部８９（４３）と縁部９１（４７）と縁部９３と縁部９５と縁部９７とをこの順につなげてこれらの縁部で囲まれた形状に形成されている。
【００４４】
上側後身頃１７は、図３で示すように、直線状もしくは円弧状等の線状の縁部９９と縁部１０１と縁部１０３と縁部１０５と縁部１０７と縁部１０９とをこの順につなげてこれらの縁部で囲まれた形状に形成されている。
【００４５】
下側後身頃１９は、図３で示すように、直線状もしくは円弧状等の線状の縁部１１１と縁部１１３と縁部１１５と縁部１１７とをこの順につなげてこれらの縁部で囲まれた形状に形成されている。
【００４６】
上衣１の身頃と袖とは、次のＳ１〜Ｓ９で示す縁部を糸で縫合することで形成されている。ただし、Ｓ１〜Ｓ９は、縫合順序を示すものではない。
【００４７】
Ｓ１；上側後身頃１７の縁部１０５と下側後身頃１９の縁部１１１との縫合（縫い目１１９が生成される）。Ｓ２；左袖前身頃１３の縁部７１と縁部７５との縫合（縫い目５９が生成される）。Ｓ３；左袖前身頃１３の縁部６９と上側後身頃１７の縁部１０３との縫合（縫い目５３の一部が生成される）。Ｓ４；左袖前身頃１３の縁部６７と下側後身頃１９の縁部１１３との縫合（縫い目５３の他の部位が生成される）。Ｓ５；右袖前身頃１５の縁部８９と縁部９３との縫合（縫い目６１が生成される）。Ｓ６；右袖前身頃１５の縁部８７と上側後身頃１７の縁部１０７との縫合（縫い目５５の一部が生成される）。Ｓ７；右袖前身頃１５の縁部８５と下側後身頃１９の縁部１１７との縫合（縫い目５５の他の部位が生成される）。Ｓ８；左袖前身頃１３の縁部７７と上側後身頃１７の縁部１０１との縫合（縫い目１２１が生成される）。Ｓ９；右袖前身頃１５の縁部９５と上側後身頃１７の縁部１０９との縫合（縫い目１２３が生成される）。
【００４８】
なお、左袖前身頃１３の縁部６３と右袖前身頃１５の縁部８１とには、線ファスナ３３が設置される。左袖前身頃１３の縁部７９と右袖前身頃１５の縁部９７には、衿部２９が縫合される。また、左袖前身頃１３の縁部７３には、左の袖口３５が縫合され、右袖前身頃１５の縁部９１には、右の袖口３５が縫合される。
【００４９】
なお、上衣１では、たとえば、縫合（縫製）に使用される糸、線ファスナからも、発塵しにくくなっている。
【００５０】
上衣１によれば、後身頃７の上部９（上側後身頃１７）がニットで構成されているので、上衣１の着用者が上肢を前方に屈めるときにニットの部分９が伸び、着用者が上肢を前方に屈めやすくなっている。なお、上衣１の着用者が腕を前に屈めていないときには、ニットの部分９は伸びておらず、そして、着用者の肌と上衣１（上側後身頃１７）との間に間隙が形成されず、上衣１に醜い態様で皺が形成されることが無いので、見栄えが悪化することがない。
【００５１】
さらに説明すると、着用者が上肢を前方に屈めるとき、上衣１の袖５（２１，２５）は着用者の上肢に貼り付くようにくっ付く。そして、着用者の上肢と上衣１の袖５との間の摩擦力で、上衣１の後身頃７の上部に左右方向の引張り力が働く。しかし、この引張り力によってニットの部分９が伸び、着用者が上肢を前方に屈めやすくなっている。
【００５２】
また、後身頃７の上部（上側後身頃１７）がニットで構成されているので、上衣１の着用者が肩関節のところで上腕を前方に曲げておいて肩関節のところで上腕を上下動するときや、上衣１の着用者が肩関節のところで上腕を前方に曲げておいて肩関節のところで上腕を上下動しさらに腕尺関節で前腕を曲げたときでも、ニットの部分９が伸びるので、上衣１の着用者の運動機能が確保される。
【００５３】
また、着用者の運動機能が確保されることで、上肢を前方に屈める動作の多い作業着（たとえば、荷物の移動作業の作業着）として上衣１を好適に使用することができる（図７参照）。
【００５４】
また、上衣１によれば、ニットの部分９が、着用者の脊柱部の上端部と肩甲上部の脊柱部側の部位のところから、斜め下方に延伸して、着用者の側胸部と乳房下部との境界近傍に位置する側胸部の部位（腋窩のやや下方前側部位）のところまで延びているので、擦れ等が発生しにくい部位にニットが設けられていることになり、ニットが傷付き難くなって耐久性が高められているとともに、着用者の運動機能性が確保されている。なお、布帛の部分はニットに比べて擦れ等による伝線等の弊害が発生しにくくなっている。
【００５５】
また、上衣１によれば、身頃３と袖５とが、マチ材等の部材を使用することなく、左袖前身頃１３と右袖前身頃１５と各後身頃１７，１９との４つの部材のみで構成されているので、布（生地）の裁ち目やこの裁ち目を隠すための折り返し部と縫い目とを、従来のものに比べて削減することができる。すなわち、縫い目が、首から両脇２箇所、袖から脇を通る２箇所、各後身頃１７，１９同士の接合部の計５箇所のみになっているので、布（生地）の裁ち目や裁ち目を隠すための折り返し部を形成している縫い目からの糸くず等の異物の発生（発塵）を抑えることができる。
【００５６】
また、上衣１によれば、上述したように、折り返し部と縫い目とが従来のものに比べて削減されているので、折り返し部と縫い目による上衣１の伸縮性が向上しており、着用者の運動の機能性が確保されている（着用者が運動や作業等をしやすくなっている）。
【００５７】
また、食品加工用の上衣作業服等業務用のユニフォームでは、一般の衣類よりも高温状態で洗濯するのであるが、このときに、縫い目の糸に負荷がかかり、縫い目の糸が伸縮し見栄えが悪くなってしまう。しかし、上衣１では、縫い目の量が削減されているので、洗濯後の見栄えの悪化が抑制される。
【００５８】
また、上衣１によれば、図３に示す交差角度αが、鈍角になっているので、左袖前身頃１３と右袖前身頃１５と各後身頃１７，１９とを縫うことで生成された上衣１が、ラグラン袖を備えた形態になっている。そして、上衣１の着用者が動きやすくなっている。
【００５９】
すなわち、上述したような鈍角αになっていることで、ラグラン袖を備えた上衣１の着用者が腕を上方に上げるときに、生地（布）に弛み５７等の余裕があり、腕を上方に上げやすくなっている。
【００６０】
また、人は、胴体を前かがみにして腕を主に前側に移動することで作業をする。胴体や腕を後側に動かして作業することは、体の構造上まず行わないのである。上衣１では、縫い目５３（５５）が、前側に存在しているとともに下側に向かうにしたがって次第に前側（内側）に移動しているので、胴体や腕を前側に動かしての作業がしやすくなっている。なぜならば、縫い目の箇所は、縫い目以外の上衣１の箇所に比べて伸縮性に劣るからであり、伸縮性に劣る縫い目の箇所が上衣１の後側に存在していると、胴体や腕を前側に動かすときに上衣が延びにくくつっぱってしまうからである。
【００６１】
また、上衣１によれば、左袖前身頃１３（右袖前身頃１５）における左袖２１（右袖２５）の延伸方向と布帛の縦糸の延伸方向が斜めに交差していて、袖の延伸方向が布帛のバイアス方向になっているので、袖がこの延伸方向や径方向で伸縮性を備えており、上衣１の着用者が腕の軽快に動かせるようになっている。
【００６２】
また、上衣１によれば、前方の縫い目をなくしつつ運動機能性を追求するため、図３で示す角度αを鈍角にしたので、自然と図３で示す仮想線Ｌがバイアス地になる。そして、身頃３と袖５がひと続きになっていて、且つ緩み５７等を持たせる設計によって、無理なく運動機能性を得ることができる。
【００６３】
また、上衣１によれば、左袖２１を筒状に形成するための縫い目５９と右袖２５を筒状に形成するための縫い目６１とが、前側に存在しているので、上衣１の着用者が腕を前側に移動させやすくなっている。
【００６４】
ところで、本発明の実施形態に係る下衣（たとえばズボン）２０１は、図４、図５で示すように、股上部２０３と筒状部２０５とを備えて構成されており、上衣１と同様に作業着として使用される。
【００６５】
また、ズボン２０１は、着用者が前屈みの姿勢（いわゆる腰屈める姿勢）をとりやすくするために、股上部２０３の後上側の部位（着用者の腰部のところ）２０７が伸縮性の材料（たとえばニット）で構成されており、他の部位が布帛で構成されている。
【００６６】
さらに説明すると、ズボン２０１は、股上（股上部）２０３と一対の筒（筒状部）２０５とを備えて構成されている。股上部２０３の下端から２本に分かれた筒状部２０５に片脚ずつを入れて、ズボン２０１を人が下半身に身につける（はく）のである。
【００６７】
股上部２０３は、着用者の、ウェスト部と殿部の下端との間の部位を覆うものである。筒状部２０５は、着用者の、殿部の下端よりも下方の大腿部と下腿部とを覆うものである。
【００６８】
ズボン２０１は、長ズボンであって、はいた場合に着用者の体には密着しない構成、すなわち、着用者の皮膚との間に若干の空間が存在する形態になっている。ただし、股上部２０３の特に後側の部位（殿部のところ）は、たとえば下着を間にして下着を挟み込む態様で着用者の皮膚を押圧している場合がある。
【００６９】
また、本実施形態では、いわゆる長ズボンを例に掲げて説明するが、ショートパンツであってもよい。
【００７０】
ズボン２０１のニットの部分２０７は、たとえば、ニットのみ（腰部ニット部材）で構成されており、ニットの部分２０７には伸縮性を阻害する裏地等は設けられていない。
【００７１】
ズボン２０１のニットの部分２０７は、上下方向の収縮性が左右方向の伸縮性よりも良好になっている。すなわち、上下方向に一定の力を加えたときのニットの伸び量（一定の長さあたりの伸び量）が、左右方向に上記一定の力を加えたときのニットの伸び量（上記一定の長さあたりの伸び量）よりも大きくなっている。
【００７２】
また、ズボン２０１のニットの部分２０７は、弓形状に形成されており、布帛で構成されているベルト部２０９の後方下側で上記弓形の弦の部分がベルト部２０９に接続している。
【００７３】
ニットの部分２０７は、左右方向中央部のところから左右方向かうにしたがって、上下方向の寸法が次第に小さくなっており、左右の両端部が、ズボン２０１の前側の左右両端部まで延びている。
【００７４】
さらに説明すると、ズボン２０１のニットの部分２０７の上端縁（中央よりも左側の上端縁）は、左右方向では中央に位置し上下方向では殿部の上端のところに位置している箇所から、ほぼ水平に、左鼡径部の左端のところもしくは左鼡径部の左端よりも僅かに左側に位置している箇所まで延びている。ニットの部分２０７の上端縁（中央よりも右側の上端縁）は、着用者の正中面に対してニットの部分２０７の左側上端縁と対称になっている。
【００７５】
ズボン２０１のニットの下端縁（中央よりも左側の下端縁）は、下に凸な円弧状になっており、左右方向では中央に位置し上下方向では仙骨部の中間の箇所から、斜め上方に向かい、ニットの部分２０７の左上端縁の左端のところまで延びている。上下方向における仙骨部の中間の箇所と仙骨部の上端との間の距離は、仙骨部の上端と仙骨部の下端との間の距離の１／３〜１／４程度になっている。さらには、１／３．５程度になっている。
【００７６】
また、ズボン２０１のニットの左下端縁は、左右方向の中央部では、ほぼ水平方向に延びているが、左に向かうほど上方に向かう割合が大きくなっており、左端では、水平方向に対して２０°程度の角度で交差している。ニットの部分２０７の下端縁（中央よりも右側の下端縁）は、着用者の正中面に対してニットの部分２０７の左下端縁と対称になっている。
【００７７】
ここで、ズボン２０１についてさらに説明する。
【００７８】
ズボン２０１の股上部２０３と一対の筒状部２０５とは、１枚の左身頃２１１と１枚の右身頃２１３と１枚の腰部ニット部材２１５と１枚のベルト部材２１７と１枚の左マチ材２１９と１枚の右マチ材２２１とで左右対称に構成されている。
【００７９】
腰部ニット部材２１５は、ニットの部分２０７を構成しており、左身頃２１１と右身頃２１３とベルト部材２１７と左マチ材２１９と右マチ材２２１とは布帛で構成されている。左マチ材２１９と右マチ材２２１とはズボン２０１の着用者の内股のところに位置するようになっている。なお、左身頃２１１と左マチ材２１９とを一体化し、と右身頃２１３と右マチ材２２１とを一体化することで、マチ材を無くした構成であってもよい。
【００８０】
左身頃２１１は、図６で示すように、直線状もしくは円弧状等の線状の縁部２３９と縁部２４１と縁部２４３と縁部２４５と縁部２４７と縁部２４９と縁部２５１と縁部２５３とをこの順につなげてこれらの縁部で囲まれた形状に形成されている。
【００８１】
右身頃２１３は、図６で示すように、左身頃２１１に対してほぼ対称に形成されており、直線状もしくは円弧状等の線状の縁部２２３と縁部２２５と縁部２２７と縁部２２９と縁部２３１と縁部２３３と縁部２３５と縁部２３７とをこの順につなげてこれらの縁部で囲まれた形状に形成されている。
【００８２】
腰部ニット部材２１５は、図６で示すように、直線状もしくは円弧状等の線状の縁部２５５と縁部２５７と縁部２５９とをこの順につなげてこれらの縁部で囲まれた弓形状に形成されている。
【００８３】
ベルト部２０９を構成するベルト部材２１７は、図６で示すように、直線状の縁部２６１と縁部２６３と縁部２６５と縁部２６７とをこの順につなげてこれらの縁部で囲まれた細長い矩形状に形成されている。
【００８４】
左マチ材２１９は、図６で示すように、直線状の縁部２６９と縁部２７１と縁部２７３と縁部２７５とをこの順につなげてこれらの縁部で囲まれた細長い矩形に近似した形状に形成されている。右マチ材２２１は、図６で示すように、左マチ材２１９に対してほぼ対称に形成されており、直線状の縁部２７７と縁部２７９と縁部２８１と縁部２８３とをこの順につなげてこれらの縁部で囲まれた細長い矩形に近似した形状に形成されている。
【００８５】
ズボン２０１は、次のＳ１１〜Ｓ２１で示す縁部を糸で縫合することで形成されている。ただし、Ｓ１１〜Ｓ２１は、縫合順序を示すものではない。
【００８６】
Ｓ１１；左身頃２１１の縁部２４３と右身頃２１３の縁部２２７との縫合（縫い目２８５が生成される）。Ｓ１２；左身頃２１１の縁部２４１と腰部ニット部材２１５の縁部２５７との縫合（縫い目２８７が生成される）。Ｓ１３；右身頃２１３の縁部２２５と腰部ニット部材２１５の縁部２５９との縫合（縫い目２８９が生成される）。Ｓ１４；左身頃２１１の縁部２４９と左マチ材２１９の縁部２７１との縫合（縫い目２９１が生成される）。Ｓ１５；左身頃２１１の縁部２４５と左マチ材２１９の縁部２７５との縫合（縫い目２９３が生成される）。Ｓ１６；右身頃２１３の縁部２３３と右マチ材２２１の縁部２７９との縫合（縫い目２９５が生成される）。Ｓ１７；右身頃２１３の縁部２２９と右マチ材２２１の縁部２８３との縫合（縫い目２９７が生成される）。Ｓ１８；左マチ材２１９の縁部２６９と右マチ材２２１の縁部２７７との縫合（縫い目２９９が生成される）。Ｓ１９；左身頃２１１の縁部２５１と右身頃２１３の縁部２３５との縫合（縫い目３０１が生成される）。Ｓ２０；ベルト部材２１７の縁部２６３と縁部２６７との縫合。Ｓ２１；ベルト部材２１７の縁部２６１および縁部２６５と、腰部ニット部材２１５の縁部２５５および左身頃２１１の縁部２３９および右身頃２１３の縁部２２３とのの縫合（縫い目３０３が生成される）。
【００８７】
なお、左身頃２１１の縁部２５３と右身頃２１３の縁部２３７とには、線ファスナ３０５が設置される。左身頃２１１の縁部２４７と右身頃２１３の縁部２３１とには、袖口３５と同様な足首絞り部３０７が縫合される。
【００８８】
また、ズボン２０１では、上衣１の場合と同様にして、これを構成する部材（縫製に使用される糸、線ファスナ等を含む）から発塵しにくくなっている。
【００８９】
ベルト部２０９は、この断面（長手方向に対して直交する平面による断面）が環状（筒状）になっている。ベルト部２０９の筒の中には、ゴムひも等の弾性体が入っている。そして、ズボン２０１を着用者がはくと、ゴムひもが適宜伸びてベルト部２０９が着用者のウェスト部を適宜締め付けるようになっているとともに、ズボン２０１の着用者が前屈み等の、ベルト部２０９を延ばす姿勢（環状のベルト部２０９を伸ばして内径を大きくする姿勢）をとると、ベルト部２０９内のゴムひもがさらに伸びるようになっている。
【００９０】
ズボン２０１によれば、股上部２０３の後上側の部位がニットで構成されているので（腰部ニット部材２１５を備えているので）、ズボン２０１の着用者が腰を前方に屈めるときにニットの部分２０７が伸び、着用者が前屈みの姿勢をとりやすくなっている。なお、ズボン２０１の着用者が起立して腰を屈めていないとには、ニットの部分２０７が伸びておらず、そして、着用者の肌とズボン２０１（ニットの部分２０７）との間に間隙がほとんど形成されず、ズボン２０１に皺が形成されることが無いので、見栄えが悪化することがない。
【００９１】
さらに説明すると、着用者が前屈の姿勢をとるとき、ズボン２０１の所定の部位（たとえば、筒状部）は着用者の所定の部位（たとえば下肢等）に貼り付くようにくっ付く。
【００９２】
そして、着用者とズボン２０１との間の摩擦力で、ズボン２０１のベルト部２０９の後側の部位と、ズボン２０１の左右の筒状部の後側の部位との間に、お互いを引き離す上下方向の引張り力が発生する。しかし、この引張り力によってニットの部分２０７が伸び、着用者が腰を前に屈めやすくなっているのである。
【００９３】
また、着用者の運動機能が確保されることで、腰を前に屈める動作の多い作業着（たとえば、荷物の移動作業の作業着）としてズボン２０１を好適に使用することができる（図７参照）。
【００９４】
また、ズボン２０１によれば、ニットの部分２０７（腰部ニット部材２１５）が弓形状に形成されベルト部２０９の後方下側で弓形の弦の部分がベルト部２０９に接続しているので、擦れ等が発生しにくい部位にニットが設けられていることになり、ニットの部分２０７が傷付き難くなって耐久性が高められているとともに、着用者の運動機能性が確保されている。
【００９５】
また、ズボン２０１によれば、ニットの部分２０７（腰部ニット部材２１５）の左右の両端部が、ズボン２０１の前側の左右両端部まで延びている（図５参照）ことで、弓形状の腰部ニット部材２１５の弦の長さの値（ニットの左右方向の寸法）が大きくなっている。これにより、腰部ニット部材２１５の上下方向の寸法が小さくなること回避しつつ、腰部ニット部材２１５の弓の弧の曲率半径を大きくすることができ（腰部ニット部材２１５の弓の円弧を直線に近づけることができ）、腰部ニット部材２１５と、左身頃２１１および右身頃２１３との縫合がしやすくなっている。一般的に、曲率半径の小さい縫い目（曲がっている縫い目）を設けることは、熟練度が必要なのである。
【００９６】
なお、上記説明では、上衣１とズボン２０１とを例に掲げて説明したが、上衣１をツナギの上衣部として考え、ズボン２０１をツナギの下衣部として考えてもよい。すなわち、図１、図２等で示す上衣１に図４、図５で示す下衣部（ズボン２０１の部分）を縫合等することで接合し、ツナギを構成してもよい。また、上衣部という文言が、ツナギではなく、上衣そのものだけを指すものと考えてもよいし、下衣部という文言が、ツナギではなく、ズボンそのものだけを指すものと考えてもよい。
【符号の説明】
【００９７】
１  上衣部（上衣）
３  身頃
５  袖
７  後身頃
９  後身頃の上部（伸縮性の材料；ニット）
１３  左袖前身頃
１５  右袖前身頃
１７  上側後身頃
１９  下側後身頃
２１  左袖
２３  左前身頃
２５  右袖
２７  右前身頃
３７、３９、４１、４３  直線部分
α  交差角度
【図１】
2014167188.tif 000003
【図２】
2014167188.tif 000004
【図３】
2014167188.tif 000005
【図４】
2014167188.tif 000006
【図５】
2014167188.tif 000007
【図６】
2014167188.tif 000008
【図７】
2014167188.tif 000009